(57)【要約】      （修正有）【課題】簡単な形式で均一に或いは交互に不自然にそれからそれていて必要に選別された潤滑剤の放出を可能とする潤滑剤供給器を作動する方法を提供する。【解決手段】潤滑剤供給器１は潤滑剤貯槽５、潤滑剤貯槽５に形成されるガス発生領域７並びにガス発生領域７に配置されたガス発生器８を有する。ガス発生器８は生成されたガス量を制御するために、電気回路９を介して制御電子部１０に接続されていて、ガス発生速度がガス発生器８と電気回路９を介して流れる電流強度に依存している。短い始動期間の後に潤滑剤供給器１の全作動時間にわたり潤滑剤が放出されて、全作動時間に適用されたより短い期間中に作動時間の開始時に且つ予め決定されて確定された制御パラメータに基づく空の進行の際に又は作動時間の開始時に或いは空の進行の際にガス発生速度が制御電子部１０により高められる。【選択図】図１
2008274434.tif 000002
【特許請求の範囲】
【請求項１】
発生されたガス量を制御するガス発生器が電気回路（９）を介して制御電子部（１０）に接続されていて、ガス発生速度（Ｇ）がガス発生器（８）と電気回路（９）を介して流れる電流強度に依存しており、潤滑剤貯槽（５）、潤滑剤貯槽（５）に形成されるガス発生領域（７）並びにガス発生領域（７）に配置されたガス発生器（８）を有する潤滑剤供給器（１）を作動する方法において、短い始動相（Ｉ）の後に潤滑剤供給器（１）の全作動時間にわたり潤滑剤の放出が行われ、全作動時間に適用されたより短い期間中に作動時間の開始時に且つ予め決定されて確定された制御パラメータに基づく空の進行の際に又は作動時間の開始時に或いは空の進行の際にガス発生速度（Ｇ）が制御電子部（１０）により高められることを特徴とする方法。
【請求項２】
始動相（Ｉ）の期間用の潤滑剤放出の開始時に制御電子部（１０）により最高に達成すべき電流強度が調整されるので、ガス発生速度（Ｇ）が最高であることを特徴とする請求項１に記載の方法。
【請求項３】
潤滑剤貯槽（５）の空の進行の際にガス発生器（８）と電気回路（９）を介して流れる電流強度とそれによるガス発生速度（Ｇ）が連続的或いは段階的に高められることを特徴とする請求項１或いは２に記載の方法。
【請求項４】
潤滑剤貯槽（５）と潤滑剤貯槽（５）に形成されるガス発生領域（７）を有するハウジング（２）と、ガス発生領域（７）に配置されたガス発生器（８）と、発生されたガス量を制御するガス発生器（８）が電気回路（９）を介して接続されている制御電子部（１０）とを備えて、制御電子部（１０）のメモリーには潤滑剤供給を制御する予め決定された制御パラメータが作動時間にわたり保管されていて、制御パラメータが制御電子部（１０）と一緒に連続的潤滑剤放出を奏しそして全作動時間に適用されたより短い期間中に作動時間の開始時に且つ潤滑剤貯槽（５）の空の進行の際に、又は作動時間の開始時に或いは空の進行の際にガス発生速度（Ｇ）の上昇を奏することを特徴とする請求項１乃至３のいずれか一項の記載に基づく方法を実施する潤滑剤供給器。
【請求項５】
制御電子部（１０）がマイクロ制御器として形成されていることを特徴とする請求項４に記載の潤滑剤供給器。
【請求項６】
ガス発生器（８）が電流を発生するガルヴァーニ電池として形成されていることを特徴とする請求項４或いは５に記載の潤滑剤供給器。
【請求項７】
制御電子部（１０）がガルヴァーニ電池から必要な作業電圧を供給されることを特徴とする請求項６に記載の潤滑剤供給器。
【請求項８】
ガス発生器（８）が別体の電源、特に電池（１１）或いは蓄電池に接続されていることを特徴とする請求項４或いは５に記載の潤滑剤供給器。
【請求項９】
ガス発生速度（Ｇ）が直線に或いは実質的に直線にガス発生器（８）を介して流れる電流強度に依存していることを特徴とする請求項４乃至７のいずれかの一項に記載の潤滑剤供給器。
【発明の詳細な説明】
【技術分野】
【０００１】
この発明は、潤滑剤貯槽、潤滑剤貯槽に形成されるガス発生領域並びにガス発生領域に配置されたガス発生器を有する潤滑剤供給器を作動する方法に関し、発生されたガス量を制御するガス発生器が電気回路を介して制御電子部に接続されていて、ガス発生速度がガス発生器と電気回路を介して流れる電流強度に依存している。
【背景技術】
【０００２】
ドイツ特許出願公開第１０２００５０３５４５２号明細書（特許文献１）から、潤滑剤貯槽とガス発生領域を備えるハウジングを有する潤滑剤供給器が知られている。ガス発生領域には、ガス発生器としての亜鉛空気電池、制御電子部を備える電気回路と制御電子部用電源としてのリチュウム電池が配置されている。亜鉛空気電池は電流を発生するガルヴァーニ電池として形成されていて、ガルヴァーニ電池を介して流れる電流強度がガス発生速度と比例している。制御電子部によってガス発生速度が制御され得る。制御電子部によって不連続的潤滑剤供給が可能である。供給された潤滑剤量に関して、ガス発生器から放出されたガス量が放出される潤滑剤量に比例していることから出発される。けれども、特に作動時間の開始時に且つ潤滑剤貯槽の空の進行後に、実際には、そのような比例性からの明確な偏差が観察される。
【０００３】
ドイツ特許第３７２２７０８明細書（特許文献２）から、ガス発生要素として電解液を備える容器を有する潤滑剤供給器が知られている。ガスを発生させるために電極を介して電解液に既に電池により調整される電圧が敷設される。ここでも、発生したガス量が流れるべき電流に比例している。電解処理がかなりの程度に温度に依存しているので、異なる温度における電極の所定差電圧にてガス発生速度の変更が観察される。この理由から、電極に作用する電圧ではなく、むしろ流れる電流を一定に維持する制御電子部が設けられている。一定電流にもかかわらず、使用開始では、ある遅延により初めて潤滑剤が供給されて、増加する潤滑期間により放出された潤滑剤量のある除去が生じ得る。
【０００４】
米国特許第５９６８３２５号明細書（特許文献３）から、より僅かな温度依存を特徴とする潤滑剤供給器用のガルヴァーニ電池として形成されたガス発生要素が知られている。潤滑剤の均一な放出を保証するために、制御電子部が圧力センサー及び温度センサー又はそのいずれか一方のセンサーを備え得る。ハウジングにセンサーを準備配置することは、潤滑剤供給器の製造費の増加をまねく。
【特許文献１】ドイツ特許出願公開第１０２００５０３５４５２号明細書
【特許文献２】ドイツ特許第３７２２７０８明細書
【特許文献３】米国特許第５９６８３２５号明細書
【特許文献４】ドイツ特許出願公開第３５３２３３５号明細書
【発明の開示】
【発明が解決しようとする課題】
【０００５】
この発明の課題は、簡単な形式で均一に或いは交互に不自然にそれからそれていて必要に選別された潤滑剤の放出を可能とする前記特徴事項を備える潤滑剤供給器を作動する方法を提供する。
【課題を解決するための手段】
【０００６】
この発明は、短い始動相の後に潤滑剤供給器の全作動時間にわたり潤滑剤の放出が行われ、全作動時間に適用されたより短い期間中に作動時間の開始時に且つ予め決定されて確定された制御パラメータに基づく空の進行の際に又は作動時間の開始時に或いは空の進行の際にガス発生速度が制御電子部により高められることによって解決される。
【０００７】
この発明は、実際には、全作動時間にわたらなく、時間単位当たり放出された潤滑剤量の直線的依存によりガス発生速度が発生され得るという知識に基づいている。潤滑剤供給器の使用開始では、通常にはガス発生領域に圧力が発生されないので、始動相中に発生されたガスがまず最初にガス発生領域、潤滑剤貯槽と万一の死容積の予め圧縮並びに搬送システムの始動摩擦の克服に寄与する。それ故に、作動時間の開始時に欠乏潤滑を回避するために、ガス発生速度が初めに明らかに高められることが好ましい。特に好ましい構成の範囲では、始動相の期間に制御電子部により最高に達成すべき電流強度が調整されるので、ガス発生速度が最高であることが企図される。この場合には、潤滑剤供給器の作動圧力が最速に達成されるので、欠乏潤滑の恐れが最小とされる。
【０００８】
作動時間の開始時に電流強度の上昇による作業圧力の短期間準備と選択的に或いは追加的に、この発明によると、空の進行では、ガス発生器と電気回路を介して流れる電流強度とそれによるガス発生速度が連続的或いは段階的に高められる。潤滑剤貯槽の空の進行では、同時にガスを充填された容積が増加して、容積の増加によりガス発生器から発生された駆動ガスの増加した拡散が観察される。潤滑剤を放出するように寄与されなく、むしろ潤滑剤供給器をその壁を通して除去される駆動ガスの一部分が常に増加する。この発明によると、ガス発生速度の連続的或いは段階的上昇によってこの損失が補償され得る。この補償は潤滑期間、ハウジングの構成と発生された駆動ガスの拡散勾配に適合すべきである。特に高い損失が駆動ガスとしての水素や長い作動期間に生じる。
【０００９】
驚くべきことは、潤滑剤供給器の行動が所定構成にて再生できるので、迅速始動機能の準備及び拡散によるガス損失の補償又はそのいずれか一方が前提とされた制御パラメータによって行われ得る。潤滑剤供給器の使用開始の際に種々の作動期間が選択できる限り、この作動期間の目的に適って、一組の制御パラメータが制御電子部のメモリーに保管されている。
【００１０】
ガス発生器はこの発明の範囲内に電流を発生させるガルヴァーニ電池として形成され得る。適切なガス発生器は例えばドイツ特許出願公開第３５３２３３５号明細書（特許文献４）と特許文献３から知られている。ガス発生器のそのような構成では、制御電子部はガルヴァーニ電池自体或いは追加的電源により必要な作業電圧を供給され得る。この発明の選択的構成の範囲内で、ガス発生器として電極を介して別体の電源、特に電池或いは蓄電池に接続されている容器が電解液を備えていることが企図されている。電解液の電気化学的分解に必要な電流が別体の電源により利用されて、ガス発生速度が直線的に或いは実質的に直線的にガス発生器を介して流れる電流強度に依存している。制御電子部はこの発明の範囲内で特にマイクロ制御器として形成されている。記憶された付与値によるそれぞれの必要な値への電流励起は例えばマイクロ制御器によるパルス幅修正によって表わさられ得る。
【００１１】
この発明は本質では、特に作動時間の開始と終了にはガス発生速度による放出された潤滑剤量の正確に直線的依存性が存在しないという知識に基づいている。作動期間の開始に死容積或いは始動摩擦を補償し、作動期間の終了に拡散による増加した損失を補償するために、この発明によると、ガス発生速度を確定された制御パラメータに基づいて高めることが企図されている。けれども、この際には、この発明の範囲内では、ガス発生が追加部分的に中断されるか、或いは周期的に再生されることが排除されていない。それで、例えばマイクロ制御器のプログラムが交替作動に適合され得て、潤滑された装置の利用の際にはガス発生のみが企図されている。一致して、潤滑すべき装置の周期的に異なった負荷の際にも、ガス発生速度の適切な適合が行われ得る。制御電子部の予め決定されて確定された制御パラメータに基づいてガス発生速度のこの発明により企図された上昇は、そのような場合には、ガス発生速度の時間的平均値に関連している。
【発明を実施するための最良の形態】
【００１２】
この発明は、次に単に実施例を示した図面に基づいて説明される。                  
【実施例】
【００１３】
図１は潤滑剤供給器１の可能な構成を示す。潤滑剤供給器１は床側カバー４にハウジング出口３を備えるハウジング２を有する。ハウジング出口３は潤滑剤貯槽５に連通し、潤滑剤貯槽５がピストン６によってガス発生領域７から分離されている。ガス発生領域７には、ガス発生器８が配置されて、図示された実施例では、電流を発生させるガルヴァーニ電池として形成されている。ガス発生器８は電気回路９を介してマイクロ制御器として形成された制御電子部１０に接続されていて、マイクロ制御器の電圧供給部がガルヴァーニ電池によって或いは任意に電池１１によって別体の電源として行われ得る。潤滑剤供給器１を使用開始するために、スイッチ１２の開閉を作動して、マイクロ制御器に接続されている選択スイッチ１３がにより異なった作動時間が選択され得る。マイクロ制御器はメモリーを有し、そのメモリーに予め決定された制御パラメータが記憶されている。この制御パラメータは制御電子部１０と一緒に連続的潤滑剤放出を奏し、全作動時間に関してより短い時間にわたり作動時間の開始時及び潤滑剤貯槽５の空の進行の際に又はそのいずれか一方でガス発生速度の上昇を奏する。
【００１４】
図２ａと図２ｂはガス発生領域７におけるガス発生速度Ｇと圧力Ｐ並びに全作動時間にわたるハウジング出口３を通る潤滑剤貫流量Ｓの経過を実例により示す。ガス発生器８は電気回路９を介して流れる電流強度の相対経過が、通常に直線的依存性と仮定されて、ガス発生速度Ｇの相対経過に一致する。明確にするために時間的に延ばして示されている短い始動相Ｉの期間では、マイクロ制御器の予め決定された制御パラメータに基づいて最高に達成すべき電流強度が調整されるので、ガス発生速度Ｇが最高である。ガス発生領域７における圧力Ｐの迅速な上昇を観察するのに適切であるので、欠乏潤滑が作動時間の開始時に回避され得る。潤滑剤貯槽５の空の進行によりハウジング２内部のガスを充填した容積が増加するので、駆動ガスの増加した損失がハウジング壁を通る拡散に基づいて発生する。この損失を補償するために、この発明によると、予め決定されて確定された制御パラメータに基づいてガス発生速度Ｇが潤滑剤貯槽５の空の進行の際に連続的（図２ａ）或いは段階的（図２ｂ）に上昇される。ガス発生速度Ｇの上昇は拡散による駆動ガスの損失を補償するので、ハウジング出口３を通る潤滑剤貫流量Ｓがおよそ一定に維持され得る。
【図面の簡単な説明】
【００１５】
【図１】潤滑剤供給器の概略的構成を示す。
【図２ａ】潤滑剤供給器のガス発生領域のガス発生速度（連続的上昇）と圧力並びにハウジング出口を通る潤滑剤貫流量の時間的経過を示す。
【図２ｂ】潤滑剤供給器のガス発生領域のガス発生速度（段階的上昇）と圧力並びにハウジング出口を通る潤滑剤貫流量の時間的経過を示す。
【符号の説明】
【００１６】
１．．．．．潤滑剤供給器
２．．．．．ハウジング
３．．．．．ハウジング出口
４．．．．．床側カバー
５．．．．．潤滑剤貯槽
６．．．．．ピストン
７．．．．．ガス発生領域
８．．．．．ガス発生器
９．．．．．電気回路
１０．．．．制御電子部
１１．．．．電池
１２．．．．スイッチ
１３．．．．選択スイッチ
Ｇ．．．．．ガス発生速度
Ｐ．．．．．圧力
Ｓ．．．．．潤滑剤貫流量
【図１】
2008274434.tif 000003
【図２ａ】
2008274434.tif 000004
【図２ｂ】
2008274434.tif 000005